(57)【特許請求の範囲】
【請求項１】
ロール状に形成された被収納物をその端面が上下方向を向きかつ外周面同士が接するようにして複数個配置する形で収納した包装袋であって、
被収納物の上端面を覆う天面領域に第１ミシン目が形成され、
被収納物の外周面を覆う側面領域における、外周面同士で接する被収納物の間の部分に第２ミシン目が形成され、
第１ミシン目の強度が、第２ミシン目の強度より強くされたことを特徴とする包装袋。
【請求項２】
第１ミシン目と第２ミシン目とが繋がる形で、これらミシン目が形成されたことを特徴とする請求項１記載の包装袋。
【請求項３】
第２ミシン目が、被収納物の軸方向に沿って直線状に伸びるように形成されたことを特徴とする請求項１または請求項２に記載の包装袋。
【請求項４】
第１ミシン目のタイカット比が１：３〜１：１０の範囲の値とされ、
第２ミシン目のタイカット比が１：４〜１：１５の範囲の値とされたことを特徴とする請求項１から請求項３の何れかに記載の包装袋。
【発明の詳細な説明】
【技術分野】
【０００１】
本発明は、力の弱い消費者でも開封し易くしつつ、持ち運び時に破断し難い包装袋に関し、トイレットペーパーやキッチンペーパー等の衛生用品の包装に好適なものである。
【背景技術】
【０００２】
従来、ロール状のトイレットペーパー等の衛生用品の販売に際して、複数のトイレットペーパー等の被収納物をまとめて包装袋に収納することが一般的であり、また、収納する為の包装袋を形成する材料として、軟質であり且つ強度が高いプラスチック製のパッケージフィルムが一般に使用されていた。
【０００３】
そして、把持用の取手部を上部に有した包装袋内における、トイレットペーパーの収納形態として、例えば１段当たり４個並びであって３段重ねにされて合計１２個のトイレットペーパーが収納される場合や、１段当たり２個並びであって３段重ねとされて計６個のトイレットペーパーが収納される場合等が有り、複数個のトイレットペーパーを段積みして包装した形で、店頭において販売に供されるようになっていた。
【０００４】
つまり、販売の前後において不用意に破断しないように、高い強度を有するプラスチック製のパッケージフィルムを包装材として使用していることから、トイレットペーパーの使用時における包装袋の開封が困難となる虞が生じるようになる。この為、包装袋を無理矢理破断して開放する必要が生じるようになる結果として、開封後の包装袋の見栄えが一般的に良くなかった。
【０００５】
これに対して、取手部の周辺にミシン目を設けてこのミシン目の部分から包装袋を開放するようにしたものや、包装袋の下部にミシン目を設けてこの部分から開放するようしたもの等の、改善策がとられた包装袋が知られている。
【先行技術文献】
【特許文献】
【０００６】
【特許文献１】特開2009-035323号公報
【特許文献２】特開2008-239224号公報
【特許文献３】特開2006-347581号公報
【特許文献４】特開2004-269009号公報
【特許文献５】特開2004-269010号公報
【発明の概要】
【発明が解決しようとする課題】
【０００７】
しかし、包装袋にミシン目を設けた場合には、この包装袋にトイレットペーパーを収納した状態で持ち運んだりする際に力が加わって、ミシン目から不用意に破断したりする欠点があった。この一方、ミシン目の切り込み幅を狭くして不用意な破断を防止することも考えられるものの、この場合には高齢者などの力の弱い消費者には開封し難くなるのに伴い、中身のトイレットペーパーを取り出し難くなる欠点を有するようになる。
【０００８】
以上より、本発明の主たる課題は、力の弱い消費者でも開封し易くしつつ、持ち運び時に破断し難い包装袋を提供することにある。
【課題を解決するための手段】
【０００９】
請求項１に係る包装袋は、ロール状に形成された被収納物をその端面が上下方向を向きかつ外周面同士が接するようにして複数個配置する形で収納した包装袋であって、
被収納物の上端面を覆う天面領域に第１ミシン目が形成され、
被収納物の外周面を覆う側面領域における、外周面同士で接する被収納物の間の部分に第２ミシン目が形成され、
第１ミシン目の強度が、第２ミシン目の強度より強くされたことを特徴とする。
【００１０】
請求項１に係る包装袋の作用を以下に説明する。
本請求項の包装袋によれば、ロール状に形成された被収納物をその端面が上下方向を向きかつ外周面同士が接するようにして複数個配置する形で、ロール状に形成された被収納物が収納されている。そして、これら被収納物の上端面を覆う天面領域に第１ミシン目が形成されると共に、被収納物の外周面を覆う側面領域における、外周面同士で接する被収納物間の部分に第２ミシン目が形成されている。但しこの際、第１ミシン目の強度が、第２ミシン目の強度より強くされている。
【００１１】
従って、本請求項に係る包装袋によれば、包装袋の上面に通常存在する取手部から被収納物ごと包装袋を持ち上げたときに、被収納物に接しない天面領域に第１ミシン目が配置されている。また、同様に包装袋を持ち上げたときでも、張力が加わり難い部分となる側面領域における、外周面同士で接する被収納物間の部分に、第２ミシン目が配置されている。
【００１２】
そして、天面領域の第１ミシン目の強度が、側面領域の第２ミシン目の強度より強くされていることから、被収納物が収納された状態の包装袋を持ち運ぶ際に、これらミシン目から包装袋が不用意に破断することがなくなる。つまり、天面領域に存在するミシン目と側面領域に存在するミシン目とでは、天面領域側のミシン目の方が破断し易いが、上記のように天面領域の第１ミシン目の強度を側面領域の第２ミシン目の強度より強くすることで、第１ミシン目からも包装袋が不用意に破断することが、より確実になくなる。
【００１３】
他方、本請求項に係る包装袋の開封に際しては、第１ミシン目の強度と第２ミシン目の強度とを適切に組み合わせたことから、第１ミシン目や第２ミシン目の切り込み幅を必要以上に小さくする必要が無くなるので、高齢の消費者などの力の弱い消費者でもミシン目から包装袋を開封し易くなって、中身のロール状の被収納物を包装袋から取り出し易くなる。
【００１４】
請求項２に係る包装袋の作用を以下に説明する。
本請求項に係る包装袋は請求項１の発明と同一の作用を奏する。但し、本請求項では、第１ミシン目と第２ミシン目とが繋がる形で、これらミシン目が形成されたという構成を有している。
【００１５】
つまり、本請求項によれば、これら第１ミシン目と第２ミシン目とが繋がっていることから、包装袋を開封する際に、天面領域或いは側面領域のいずれの側からでも、ミシン目に沿って開封することにより、天面領域及び側面領域を連続的に開封できるようになる。
【００１６】
請求項３に係る包装袋の作用を以下に説明する。
本請求項に係る包装袋は請求項１及び請求項２の発明と同一の作用を奏する。但し、本請求項では、第２ミシン目が、被収納物の軸方向に沿って直線状に伸びるように形成されたという構成を有している。
【００１７】
つまり、本請求項によれば、力の弱い消費者が開封可能なミシン目とする必要があるのに対して、ロール状に形成された被収納物の軸方向に沿って直線状に伸びるように、第２ミシン目が形成されている。このことから、例えば被収納物の軸方向に対して交叉する方向にミシン目が形成された場合と比較して、必要なミシン目の長さを容易に確保できるようになる。
【００１８】
請求項４に係る包装袋の作用を以下に説明する。
本請求項に係る包装袋は請求項１から請求項３の発明と同一の作用を奏する。但し、本請求項では、第１ミシン目のタイカット比が１：３〜１：１０の範囲の値とされ、第２ミシン目のタイカット比が１：４〜１：１５の範囲の値とされたという構成を有している。
【００１９】
つまり、本請求項によれば、第１ミシン目のタイカット比を１：３より小さくした場合や、第２ミシン目のタイカット比を１：４より小さくした場合には、ミシン目を破断し難くなる。他方、第１ミシン目のタイカット比を１：１０より大きくした場合や、第２ミシン目のタイカット比を１：１５より大きくした場合には、包装袋を持ち運ぶ際にこのミシン目の部分から包装袋が不用意に破断し易くなる。この為、第１ミシン目及び第２ミシン目のタイカット比の範囲を上記の値の範囲とした。
【発明の効果】
【００２０】
以上のとおり本発明の包装袋によれば、力の弱い消費者でも開封し易くしつつ、持ち運び時に破断し難いという優れた効果を奏するようになる。
【図面の簡単な説明】
【００２１】
【図１】本発明に係る包装袋の一実施の形態を示す斜視図である。
【図２】本発明に係る包装袋の一実施の形態を示す正面図である。
【図３】本発明に係る包装袋の一実施の形態を示す平面図である。
【図４】本発明に係る包装袋の一実施の形態に適用される第１ミシン目及び第２ミシン目の要部を展開しつつ拡大して示す展開拡大図である。
【発明を実施するための形態】
【００２２】
以下、本発明に係る包装袋の一実施の形態を図１から図４に示し、これら図面を参照しつつ本実施の形態を詳細に説明する。
本実施の形態に係る包装袋１０は、延伸加工された厚さ０．０３ｍｍの延伸フィルムであるポリエチレン等のプラスチックフィルムまたはシートを筒状に形成した包装材により構成されている。図１に示すように、この筒状の包装袋１０は、その両側端面１６、１８が内方へ折り込まれたガセット袋とされ、各袋の長さ毎に溶断することで、完成されている。つまり、この包装袋１０を形成する包装材は、前面１２、背面１４及び側端面１６、１８を有しており、両側端面１６、１８には内側に折り込まれる折り目Ｌがそれぞれ形成されている。
【００２３】
被収納物が収納されている包装袋１０の製造に際し、この包装材の下側の溶着時には、側端面１６、１８を前面１２と背面１４の下端とともに積層して一端がシールされて、下側に位置する底部２２が形成される。また、この包装材の上側の溶着時には、被収納物であるトイレットペーパー３０の収納後に、側端面１６、１８を前面１２と背面１４の上端とともに積層して上側に位置する所要幅の取手部２４を形成するのに伴い、この取手部２４がシールされる。そして、この取手部２４には、手指を掛けるための２つの手掛け孔２６が打ち抜きにより形成されている。
【００２４】
他方、これら底部２２と取手部２４との間には、トイレットペーパー３０を収納する為の空間を内部に筒状に有した包装袋１０の本体部１０Ａが位置し、この本体部１０Ａを構成する前面１２、背面１４及び側端面１６、１８の部分が、トイレットペーパー３０の外周面３０Ａを覆う包装袋１０の側面領域２０を形成している。
【００２５】
本実施の形態では、図１から図３に示すように１２個のロール状に形成されたトイレットペーパー３０が、ロール状に形成された被収納物をその端面が上下方向を向きかつ外周面３０Ａ同士を接しつつ複数個である４個配置される形で、４個ずつ３段に重ねてこの本体部１０Ａ内に収納されている。さらに、この包装袋１０の本体部１０Ａと取手部２４との間には、トイレットペーパー３０の上端面を覆う部分とされる天面領域２８が、これら前面１２及び背面１４により同様に形成されている。
【００２６】
図１から図３に示すように、この天面領域２８の前面１２により形成された部分には、取手部２４の近傍からこの取手部２４に対して直角にこの天面領域２８の下端にまで伸びるような長さＳ１だけ、第１ミシン目３１が形成されている。また、前記側面領域２０の内の前面１２の箇所の中央部であってロール非接触部Ｃとされる、各段に配置された４個のトイレットペーパー３０の内の前側の２個のトイレットペーパー３０間の部分に、第２ミシン目３２が形成されている。
【００２７】
すなわち、本実施の形態の包装袋１０では、外周面同士で接する２個のトイレットペーパー３０間の部分とされる、側面領域２０の内の前面１２箇所のロール非接触部Ｃに、第２ミシン目３２が形成されていることになる。
【００２８】
そして、この第２ミシン目３２は、第１ミシン目３１と繋がる形で、側面領域２０の最上部である天面領域２８に隣り合った側面領域２０の端部を始点として、この部分からトイレットペーパー３０の軸方向（図２におけるＺ方向）に沿って直線状に下側に向かって伸びるように、トイレットペーパー３０が二段重ねられた長さである２２８ｍｍ程度の長さＳ２だけ形成されている。
【００２９】
また、第１ミシン目３１の強度は、第２ミシン目３２の強度より強くされている。具体的には、第１ミシン目３１のタイカット比が１：３〜１：１０の範囲の値とされ、第２ミシン目３２のタイカット比が１：４〜１：１５の範囲の値とされている。但し、これら第１ミシン目３１の強度は第２ミシン目３２の強度より強く設定されている。
【００３０】
つまり、図４に示すように、例えば第１ミシン目３１の切り込み長さＬ１を４．０ｍｍ、間隔Ｔ１を１．０ｍｍとすることで、第１ミシン目３１のタイカット比を１：４とした。また、第２ミシン目３２の切り込み長さＬ２を５．０ｍｍ、間隔Ｔ２を１．０ｍｍとすることで、第２ミシン目３２のタイカット比を１：５とした。
【００３１】
ここで、ミシン目のタイカット比とは、第１ミシン目３１の間隔Ｔ１と第１ミシン目３１の切り込み長さＬ１との比率であり、また、第２ミシン目３２の間隔Ｔ２と第２ミシン目３２の切り込み長さＬ２との比率である。そして、Ｔ１：Ｌ１やＴ２：Ｌ２とされるタイカット比のＴ１，Ｔ２に対してのＬ１，Ｌ２の値が相対的に小さいほど切り離しにくく、Ｔ１，Ｔ２に対してのＬ１，Ｌ２の値が相対的に大きいほど切り離し易くなる。すなわち、このタイカット比によれば、Ｔ１に対してＬ１が小さいほど、また、Ｔ２に対してＬ２が小さいほど、ミシン目３１，３２における引張強度（ＪＩＳＰ８１１３）が高くなる。
【００３２】
尚、本実施の形態に係る包装袋１０の大きさは、包装袋１０内においてトイレットペーパー３０が開封前に崩れることがないような大きさに設定されている。つまり、好ましくはほぼぴったりとトイレットペーパー３０を包むように、包装袋１０の寸法が定められている。
【００３３】
次に、本実施の形態に係る包装袋１０の作用を説明する。
本実施の形態の包装袋１０によれば、ロール状に形成された被収納物をその端面が上下方向を向きかつ外周面３０Ａ同士を接しつつ４個配置する形で、ロール状に形成された被収納物であるトイレットペーパー３０が収納されている。
【００３４】
そして、トイレットペーパー３０の上端面を覆う天面領域２８に第１ミシン目３１が形成されている。また、トイレットペーパー３０の外周面３０Ａを覆う側面領域２０における、外周面同士で接するトイレットペーパー３０間の前面１２部分であってトイレットペーパー３０と接触していないロール非接触部Ｃに、第２ミシン目３２が形成されている。
【００３５】
但しこの際、これら第１ミシン目３１の端部と第２ミシン目３２の端部とが相互に繋がる形で、これらミシン目３１、３２が形成されていて、この第２ミシン目３２は、包装袋１０の天面領域２８に隣り合った部分から、トイレットペーパー３０の軸方向に沿って直線状に伸びるように、側面領域２０内に形成されている。
【００３６】
従って、本実施の形態に係る包装袋１０によれば、取手部２４からトイレットペーパー３０ごと包装袋１０を持ち上げて持ち運ぶときに、トイレットペーパー３０に接しない天面領域２８に第１ミシン目３１が配置されることになる。また、同様に包装袋１０を持ち上げて持ち運ぶときでも、張力が加わり難い部分となる、側面領域２０における、外周面同士で接するトイレットペーパー３０相互間の部分に、第２ミシン目３２が配置されることになる。
【００３７】
そして、本実施の形態では、天面領域２８の第１ミシン目３１の強度が、側面領域２０の第２ミシン目の強度より強くされていることから、トイレットペーパー３０が収納された状態の包装袋１０を持ち運ぶ際に、これらミシン目３１、３２から包装袋１０が不用意に破断することがなくなる。つまり、天面領域２８に存在するミシン目と側面領域２０に存在するミシン目とでは、天面領域２８側のミシン目の方が、破断し易いが、上記のように天面領域２８の第１ミシン目３１の強度を側面領域２０の第２ミシン目３２の強度より強くすることで、第１ミシン目３１からも包装袋１０が不用意に破断することが、より確実になくなる。
【００３８】
他方、本実施の形態に係る包装袋１０の開封に際しては、第１ミシン目３１の強度と第２ミシン目３２の強度とを適切に組み合わせたことから、第１ミシン目３１や第２ミシン目３２の切り込み幅を必要以上に小さくする必要が無くなるので、高齢の消費者などの力の弱い消費者でもミシン目３１、３２から包装袋１０を開封し易くなって、中身のロール状のトイレットペーパー３０を取り出し易くなる。
【００３９】
この一方、本実施の形態によれば、これら第１ミシン目３１と第２ミシン目３２とが繋がっていることから、包装袋１０を開封する際に、天面領域２８或いは側面領域２０のいずれの側からでも、ミシン目に沿って開封することにより、天面領域２８及び側面領域２０を連続的に開封できるようになる。
【００４０】
さらに、上記のように力の弱い消費者が開封可能なミシン目とする必要があるのに対して、本実施の形態では、ロール状に形成されたトイレットペーパー３０の軸方向に沿って直線状に伸びるように、第２ミシン目３２が形成されているだけでなく、この第２ミシン目３２が、トイレットペーパー３０の上端面を覆う包装袋１０の天面領域２８に隣り合った部分から、側面領域２０内に形成されている。
【００４１】
このことから、例えば、トイレットペーパー３０の軸方向に対して交叉する方向にミシン目３２が形成されたり、包装袋１０の側面領域２０の最下部にのみミシン目３２が形成されたりした場合と比較して、必要なミシン目３２の長さＳ２を容易に確保できるようになる。
【００４２】
この一方、本実施の形態では、第１ミシン目３１のタイカット比が、好ましくは１：３〜１：１０の範囲の値とされ、また、第２ミシン目３２のタイカット比が、好ましくは１：４〜１：１５の範囲の値とされている。つまり、本実施の形態によれば、第１ミシン目３１のタイカット比を１：３より小さく例えば１：２とした場合や、第２ミシン目３２のタイカット比を１：４より小さく例えば１：３とした場合には、ミシン目３１、３２を破断し難くなる。
【００４３】
他方、第１ミシン目３１のタイカット比を１：１０より大きく例えば１：１５とした場合や、第２ミシン目３２のタイカット比を１：１５より大きく例えば１：２０とした場合には、包装袋１０を持ち運ぶ際にこのミシン目３１、３２の部分から包装袋１０が不用意に破断し易くなる。以上より、第１ミシン目３１及び第２ミシン目３２のタイカット比の範囲を上記の値の範囲とした。
【００４４】
ここで、第１ミシン目３１のタイカット比Ｔ１：Ｌ１が、好ましくは１：３〜１：１０の範囲の値とされ、また、第２ミシン目３２のタイカット比Ｔ２：Ｌ２が、好ましくは１：４〜１：１５の範囲の値とされる理由を具体的に説明する。つまり、表１において「タイカット比（天面）」と表記した第１ミシン目３１が、１：２〜１：１５までの各タイカット比とされると共に、表１において「タイカット比（胴面）」と表記した第２ミシン目３２が、１：３〜１：２０までの各タイカット比とされたものを下記の表１に示す組み合わせとして、各サンプルをまずそれぞれ作成した。
【００４５】
そして、これらサンプルに関して、トイレットペーパー３０が収納された状態で包装袋１０を例えば１０分間程度持ち運ぶことで、包装袋１０を持ち運ぶ際においてミシン目３１，３２から不用意に破断しないかの試験を行い、これを「強度」として表わし、試験結果が、問題なければ「○」とし、ミシン目３２から破れてしまって問題有りとされれば「×」とした。
【００４６】
他方、包装袋１０のミシン目３１，３２からの開封し易さを試験した結果を「開封し易さ」として表わし、この開封し易さの試験結果が、非常に開け易ければ「◎」とし、開け易ければ「○」とし、開け難ければ「△」とし、非常に開け難ければ「×」とした。
【００４７】
【表１】
0005590845.tif 000002
【００４８】
この表１に示される試験結果によれば、第１ミシン目３１のタイカット比Ｔ１：Ｌ１が
１：１０より大きい１：１５以上の場合や、第２ミシン目３２のタイカット比Ｔ２：Ｌ２が１：１５より大きい１：２０以上の場合には、Ｌ１，Ｌ２が相対的に大きくなり過ぎるのに伴い、第１ミシン目３１から破れてしまった。つまり、表１において「×」としたサンプルは、天面領域２８と側面領域２０との境目であって側面領域２０に近い箇所で破れた。
【００４９】
また、第１ミシン目３１のタイカット比Ｔ１：Ｌ１が１：３より小さい１：２以下の場合や第２ミシン目３２のタイカット比Ｔ２：Ｌ２が１：４より小さい１：３以下の場合には、Ｔ１，Ｔ２が相対的に大きくなり過ぎるのに伴い、ミシン目３１，３２から非常に開封し難くなってしまった。
【００５０】
以上より、表１に示す試験結果から上記の第１ミシン目３１のタイカット比を１：３〜１：１０とし、第２ミシン目３２のタイカット比を１：４〜１：１５とする範囲の値が良いことが確認された。
【００５１】
尚、上記実施の形態では、被収納物をトイレットペーパーとしたが、キッチンペーパーとしても良く、類似形態の他のロール状の物品であっても良い。また、上記実施の形態の包装袋を構成する包装材としては、ポリエチレン製のものを採用したが、ポリプロピレンやポリエチレンテレフタレート等のプラスチック製の材料である合成樹脂材料を採用しても良い。そして、上記実施の形態では、第１ミシン目や第２ミシン目を前面のみに形成したが背面にもこれらミシン目を形成しても良い。
【００５２】
さらに、上記実施の形態では、トイレットペーパーが４個ずつ３段に重ねられて１２個だけ収納されていたが、トイレットペーパーを他の８個、１６個あるいはそれ以外の個数としても良い。つまり、ロール状に形成された被収納物をその端面が上下方向を向きかつ外周面同士が接するようにして、一段当たり２個以上収納されていれば良く、例えば２個ずつ３段に重ねられて６個としたり、或いは他の２段、４段あるいはそれ以上の段数に積み重ねて、他の個数収納するようにしたりしても良い。但し、この場合には、トイレットペーパーが増えれば、被収納物の重量も増えることから、上記実施の形態に対して、包装材の厚み、ミシン目の長さ及びタイカット比等を変更することが、例えば考えられる。
【産業上の利用可能性】
【００５３】
本発明は、トイレットペーパーやキッチンペーパー等の衛生用品全般の収納に利用できるものである。
【符号の説明】
【００５４】
１０      包装袋
２０      側面領域
２４      取手部
２８      天面領域
３０      トイレットペーパー（被収納物）
３０Ａ    外周面
３１      第１ミシン目
３２      第２ミシン目
Ｃ      ロール非接触部
【図１】
0005590845.tif 000003
【図２】
0005590845.tif 000004
【図３】
0005590845.tif 000005
【図４】
0005590845.tif 000006